(57)【要約】      （修正有）【課題】舌に付着した汚れや垢、食べ滓等を効率良く且つ舌の表面を傷めることなく掻き出すと共に、洗浄が容易な舌クリーナーを提供する。【解決手段】頭部２と柄部３とが接続された舌クリーナー１において、前記舌クリーナー１をゴム又は熱可塑性エラストマーで一体形成すると共に、前記頭部２の先端辺の下面の巾方向に平行にリブ状に立設させた１つ又複数のクリーナー部４と、該クリーナー部４に沿って前記頭部２の厚さ方向を貫通させた排出部５と、該排出部５に沿って多数の毛状に立設したブラシ部６と、を備えて構成する。【選択図】図１
0003147869.tif 000002
【実用新案登録請求の範囲】
【請求項１】
頭部と柄部とが接続された舌クリーナーにおいて、前記舌クリーナーをゴム又は熱可塑性エラストマーで一体形成すると共に、前記頭部の先端辺の下面の巾方向に平行にリブ状に立設させた１つ又は複数のクリーナー部と、該クリナー部に沿って前記頭部の厚さ方向を貫通させた排出部と、該排出部に沿って多数の毛状に立設したブラシ部と、を備えたことを特徴とする舌クリーナー。
【考案の詳細な説明】
【技術分野】
【０００１】
本考案は舌クリーナーに関するものであり、更に詳細には、舌に付着した汚れや垢、食べ滓等を効率良く且つ舌の表面を傷めることなく掻き出すと共に、洗浄が容易な舌クリーナーに関するものである。
【背景技術】
【０００２】
旧来、歯ブラシで歯間の清掃のついでに舌も清掃していたが、なかなか上手く取れないことから、舌クリーナーが開発され市場で販売されるようになっており、例えば、舌苔除去用ブラシ部分３を円盤状に、且つ高い舌苔除去能力を有する布織布を採用、ブラシ部分の先端部に舌苔、残りカス取り込み用の一定幅の間隙、舌苔等を一時貯留する空間を設けたヘラタイプ４を併用することによって、舌の表面を自在に動き、無理なく綺麗に舌苔除去を行い、且つ口腔ケアとして、人にもやさしい舌苔除去ブラシ（特許文献１参照）や、 ヘッド部１と、これに続く首部２と把持部３を備えた舌クリーナーにおいて、ヘッド部１を扁平薄型に形成し、該ヘッド部の表面に複数本の刷掃体４，５を所望間隔をおいて把持部長手方向ｘ−ｘと直交する向きに直線もしくは円弧状に並べて突設し、該複数本の刷掃体のうち、少なくとも１本の刷掃体５については刷毛製とするとともに、他の刷掃体４については先端が把持部側に向けてカールした断面波形の合成樹脂製とし、ヘッド部先端側から見た各刷掃体４，５の先端面の輪郭線形状を舌断面の表面に沿った形状とするもの（特許文献２参照）や、舌スクレーパー／舌ブラシ具１０は、柄１２、頭部１４、およびその間にある首部１６と、スクレーパー面から立ち上がっているスクレーパーリブと、ブリッスル面から立ち上がっている１列の毛束とを含み、頭部は、対向するブラシ面とスクレーパー面とを有する上部部材を備えている。２列以上のリブおよび２列以上の毛束またはエラストマーの指状突起が使用されることもあれば、長手方向の開口部が、隣接した列のリブおよび房の間に設けられることもある。スクレーパーリブは、貝状であり得るもの（特許文献３参照）等が開示されている。
【特許文献１】特許第３８５１３３８号公報
【特許文献２】特開２００１−１６１７２０号公報
【特許文献３】特開２００６−０７５６０３号公報
【考案の開示】
【考案が解決しようとする課題】
【０００３】
然し乍ら、特許文献１に記載のものは、ブラシ部分３に不織布を着脱可能に備えているものであるが、ブラシ部分３は不織布で洗浄に手間暇がかかり手入れが面倒なものであり、特許文献２に記載のものは、刷掃体５は刷毛製を植設しているもので製造が複雑となり、更に、刷掃体４は先端にカールさせた断面波形としており、舌の表面を傷める可能性も有しているものであり、特許文献３に記載のものも、前述と同様にブラシ束を植設しているため製造が複雑で、又、スクレーパーリブの先端が貝状の波状と記載され、舌の表面を傷める可能性も有しているものである。
【課題を解決するための手段】
【０００４】
本考案は前記課題に鑑み、鋭意研鑽の結果、これらの課題を解決するもので、頭部と柄部とが接続された舌クリーナーにおいて、舌クリーナーをゴム又は熱可塑性エラストマーで一体形成すると共に、頭部の先端辺の下面にリブ状に立設させたクリーナー部と、クリナー部に沿って頭部の厚さ方向を貫通させた排出部と、排出部に沿って多数の毛状に立設したブラシ部と、を備えたものである。
【考案の効果】
【０００５】
前述の如く構成した本考案の舌クリーナーは、舌クリーナーをゴム又は熱可塑性エラストマーで一体形成しているために、製造が容易で廉価であり、ブラシ部で舌乳頭を起こし、クリーナー部で舌の表面に付着した汚れや垢、食べ滓等をかき集め、排出部によりかき集めた汚れや垢、食べ滓等がスムーズに排出されるものであり、画期的で実用性の高い有効な考案である。
【考案を実施するための最良の形態】
【０００６】
以下、本考案の舌クリーナーの実施の形態を図面によって、具体的に説明すると、図１は本考案の舌クリーナーの実施例で（Ａ）は正面図であり（Ｂ）は底面図であり、図２は本考案の舌クリーナーの実施例の斜視図であり、図３は本考案の舌クリーナーの次実施例の頭部の斜視図であり、図４は本考案の舌クリーナーの実施例の頭部の断面図であり、図５は本考案の舌クリーナーの実施例の頭部の側面図である。
【０００７】
本考案は舌クリーナーに関するものであり、更に詳細には、舌に付着した汚れや垢、食べ滓等を効率良く且つ舌の表面を傷めることなく掻き出すと共に、洗浄が容易な舌クリーナーに関するものであり、頭部２と柄部３とが接続された舌クリーナー１において、前記舌クリーナー１をゴム又は熱可塑性エラストマーで一体形成すると共に、前記頭部２の先端辺の下面の巾方向に平行にリブ状に立設させた１つ又複数のクリーナー部４と、該クリーナー部４に沿って前記頭部２の厚さ方向を貫通させた排出部５と、該排出部５に沿って多数の毛状に立設したブラシ部６と、を備えたことを特徴とするものである。
【実施例】
【０００８】
即ち、本考案の舌クリーナー１は、口腔に挿入して舌の表面を清掃するための頭部２と、該頭部２が延設された手で把持して口腔に挿入した頭部２を前後に動かす為の柄部３とが接続されているものである。
【０００９】
そして、舌クリーナー１は、舌の表面を傷めないような適宜な柔軟性と使い勝手が良好になるように適宜な可撓性を有するゴム又は熱可塑性エラストマーで一体形成に形成しているものである。
【００１０】
次に、クリーナー部４は、頭部２の先端辺の下面の巾方向に略平行にリブ状に立設させているもので、頭部２の先端の円弧状に沿って形成しているもので、図１に図示する実施例では２つ立設しているものであるが、１つでも構わないものであり、下端辺は中央をやや嵩高とした滑らかな円弧状に形成しているものである。
【００１１】
次いで、排出部５は、クリーナー部４に沿って頭部２の厚さ方向を貫通させているもので、クリーナー部４でかき集めた舌表面の汚れや垢、食べ滓等を貯留又は上方に排除させるものである。
【００１２】
更に、ブラシ部６は、排出部５に沿って基端側に多数の毛状に立設させているもので、フィラメントの高さを０．５ｍｍ〜３ｍｍにすると共に、先端に丸みを形成して舌の表面に無理な負荷をかけないようにしているものである。
【００１３】
そして、本考案の舌クリーナー１を使用すると、ブラシ部６を構成するフィラメントの一本一本が舌乳頭の根本部分や間にまで入り込み清掃をするため極めて高い清掃効果と柔らかい使用感を得ることができ、更にブラシ部６で浮かせた汚れや垢、食べ滓等をクリーナー部４でかき集め、排出部５で貯留又は排出させるものである。
【００１４】
更には、使用後は一体形成したゴム又は熱可塑性エラストマーで形成しているために、水洗いするだけで付着している汚れや垢、食べ滓、唾液等を容易に洗浄することができ、常に清潔な状態で保管することができるものである。
【産業上の利用可能性】
【００１５】
本考案は、舌クリーナーをゴム又は熱可塑性エラストマーで一体形成しているために、製造が容易で廉価であり、ブラシ部で舌乳頭を起こし、クリーナー部で舌の表面に付着した汚れや垢、食べ滓等をかき集め、排出部によりかき集めた汚れや垢、食べ滓等がスムーズに排出され、加えて、使用後の洗浄の容易な舌クリーナーを提供するものである。
【図面の簡単な説明】
【００１６】
【図１】図１は本考案の舌クリーナーの実施例で（Ａ）は正面図であり（Ｂ）は底面図である。
【図２】図２は本考案の舌クリーナーの実施例の斜視図である。
【図３】図３は本考案の舌クリーナーの次実施例の頭部の斜視図である。
【図４】図４は本考案の舌クリーナーの実施例の頭部の断面図である。
【図５】図５は本考案の舌クリーナーの実施例の頭部の側面図である。
【符号の説明】
【００１７】
１      舌クリーナー
２      頭部
３      柄部
４      クリーナー部
５      排出部
６      ブラシ部
【図１】
0003147869.tif 000003
【図２】
0003147869.tif 000004
【図３】
0003147869.tif 000005
【図４】
0003147869.tif 000006
【図５】
0003147869.tif 000007